(57)【要約】  ユーザが入力する個人情報による個人化仮想キーボードを生成して提供する方法に係り、該個人化仮想キーボード提供方法は、ユーザから個人情報が入力されるように、スクリーン上に個人化仮想キーボードを提供する方法において、個人情報を構成する文字キーを含み、基本仮想キーボードを構成する文字キーの個数以下の個数からなる個人化仮想キーボードが生成されて保存される第１段階と、個人情報の入力時、個人化仮想キーボードが、スクリーンに表示される第２段階と、を含む個人化仮想キーボード提供方法である。
2015513159.tif 000002
【特許請求の範囲】
【請求項１】
ユーザから個人情報が入力されるように、スクリーン上に個人化仮想キーボードを提供する方法において、
前記個人情報を構成する文字キーを含み、基本仮想キーボードを構成する文字キーの個数以下の個数からなる個人化仮想キーボードが生成されて保存される第１段階と、
前記個人情報の入力時、前記個人化仮想キーボードが、前記スクリーンに表示される第２段階と、を含む個人化仮想キーボード提供方法。
【請求項２】
前記第１段階は、
前記情報機器上に、前記基本仮想キーボードが表示される第１サブ段階と、
前記基本仮想キーボードを介して入力されるユーザの個人情報が認証される第２サブ段階と、
前記認証が成功したユーザの個人情報に対応する個人化仮想キーボードが生成されて保存される第３サブ段階と、を含むことを特徴とする請求項１に記載の個人化仮想キーボード提供方法。
【請求項３】
前記第２サブ段階は、前記入力されたユーザの個人情報が、外部サーバを介して認証されることを特徴とする請求項２に記載の個人化仮想キーボード提供方法。
【請求項４】
前記個人化仮想キーボードは、前記情報機器または前記外部サーバのうちいずれの側、または前記情報機器及び前記外部サーバの双方で生成されて保存されることを特徴とする請求項３に記載の個人化仮想キーボード提供方法。
【請求項５】
前記個人化仮想キーボードが、前記情報機器及び前記外部サーバの双方で生成されて保存される場合、
前記情報機器に保存された情報機器側キーデータと、前記外部サーバに保存されたサーバ側キーデータとの組み合わせにより、前記個人化仮想キーボードが生成されることを特徴とする請求項４に記載の個人化仮想キーボード提供方法。
【請求項６】
前記サーバ側キーデータが、前記情報機器に暗号化されて伝送されるか、あるいは
前記情報機器側キーデータが、前記情報機器に暗号化されて保存されることを特徴とする請求項５に記載の個人化仮想キーボード提供方法。
【請求項７】
前記個人化仮想キーボードが、前記スクリーンに表示される第２段階は、
前記個人化仮想キーボードを構成する文字キーが、既設定の所定ホーム画面に配列されることを特徴とする請求項１に記載の個人化仮想キーボード提供方法。
【請求項８】
前記個人化仮想キーボードを構成する文字キーは、順に前記ホーム画面上に配列されることを特徴とする請求項７に記載の個人化仮想キーボード提供方法。
【請求項９】
前記個人化仮想キーボード上には、文字が表示されない文字キーが含まれることを特徴とする請求項１に記載の個人化仮想キーボード提供方法。
【請求項１０】
前記個人化仮想キーボードは、前記個人情報を構成する重複した文字キーをいずれも含むことを特徴とする請求項１に記載の個人化仮想キーボード提供方法。
【請求項１１】
前記個人化仮想キーボードは、前記個人情報を構成する重複した文字キーを一つずつ含むことを特徴とする請求項１に記載の個人化仮想キーボード提供方法。
【請求項１２】
前記スクリーン上に表示される前記個人化仮想キーボードにおいて、
前記個人化仮想キーボードを構成する文字キーの位置が変更可能であることを特徴とする請求項１に記載の個人化仮想キーボード提供方法。
【請求項１３】
前記文字キーの位置変更は、
ドラッグ・アンド・ドロップ方式で遂行されるか、あるいは
移動させる文字キー選択後に移動させる位置を選択する方式で遂行されることを特徴とする請求項１２に記載の個人化仮想キーボード提供方法。
【請求項１４】
前記スクリーン上に表示される前記個人化仮想キーボードにおいて、
前記個人化仮想キーボードを構成する文字キーに表示される文字を消すことを特徴とする請求項１に記載の個人化仮想キーボード提供方法。
【請求項１５】
前記スクリーン上に表示される前記個人化仮想キーボードにおいて、
前記スクリーン上に表示される文字キーの個数は、ユーザ設定によって変更可能であることを特徴とする請求項１に記載の個人化仮想キーボード提供方法。
【請求項１６】
前記スクリーン上に表示される前記個人化仮想キーボードにおいて、
前記スクリーン上に表示される文字キーの個数は、外部サーバから受信される信号によって変更可能であることを特徴とする請求項１に記載の個人化仮想キーボード提供方法。
【請求項１７】
前記情報機器は、基本仮想キーボード使用、または個人化仮想キーボード使用の選択環境を提供することを特徴とする請求項１に記載の個人化仮想キーボード提供方法。
【請求項１８】
前記情報機器上に表示された前記個人化仮想キーボードで順次に選択された文字キーの位置情報が、外部サーバに伝送される第３段階をさらに含むことを特徴とする請求項１に記載の個人化仮想キーボード提供方法。
【請求項１９】
前記外部サーバに、前記個人化仮想キーボードの文字キーの配列情報がさらに伝送されることを特徴とする請求項１８に記載の個人化仮想キーボード提供方法。
【発明の詳細な説明】
【技術分野】
【０００１】
本発明は、個人化仮想キーボード提供方法に係り、さらに詳細には、ユーザが入力する個人情報による個人化仮想キーボードを生成して提供する方法に関する。
【背景技術】
【０００２】
現代の情報化社会では、多様な形態の数多くの情報機器（例えば、パソコン、スマートフォン、タブレットコンピュータ、金融自動化端末機、自動チケット発給機、出入り統制システムなど）が存在する。かようなほとんどの情報機器は、ユーザから情報を入力されるための入力手段を具備するが、入力手段として、スクリーンにグラフィック的に表示される仮想キーボードが使用される実情である。かような代表的な事例として、コンピュータを利用したオンラインバンキングにおいて、仮想キーボードをモニタに表示し、マウスを利用して、口座パスワードや保安カード番号のような個人情報の入力を可能としている。
【０００３】
一方、最近では、スマートフォンやタブレットコンピュータのような個人携帯端末情報機器を使用するユーザの数が急増している。ユーザは、かような個人携帯端末情報機器を利用して、インターネットに接続し、多様な個人業務（電子メール確認及び伝送、金融業務、ウェブショッピングなど）や、余暇活動（映画視聴、ゲームなど）などを行っている。一般的に、かようなスマートフォンやタブレットコンピュータは、別途のキーボード装置を具備せず、タッチスクリーンに仮想キーボードを表示し、その仮想キーボードを介して、ユーザの個人情報（ＩＤ（identification）、パスワードなど）を入力される。ここで、ユーザの個人情報として、認証書暗号、ｉ−ＰＩＮ（internet personal identification number）ＩＤ、ｉ−ＰＩＮパスワード、通帳またはカードのパスワード、ゲームアイテムの取り引きパスワードなどが含まれる。
【０００４】
現在広く使用される仮想キーボードは、一般的なクウォティー（ＱＷＥＲＴＹ）文字盤からなるが、クウォティー文字盤のそれぞれのキーに文字及び数字を配列させ、選択的入力が可能になるように構成される。しかし、スマートフォンのような狭小スクリーンのＩＴ（information technology）情報機器に、かようなクウォティー文字盤の仮想キーボードを適用する場合、各キーのサイズが小さいために、それぞれのキーに割り当てられた文字や数字を認知し難く、キータッチ時に、隣接キーを誤ってタッチし、入力エラーが生じるという問題点がある。一方、可読性を高めるために、クウォティー文字盤に数字だけ示される場合、ボタンの大きさは大きくなるとしても、ドラッグ＆ドロップのようなさらに容易に個人情報を入力することができないという問題点がある。
【発明の概要】
【発明が解決しようとする課題】
【０００５】
前述の問題点を解決するために案出された本発明の目的は、ユーザが入力する個人情報によって、一部キーからなる個人化仮想キーボードを提供する方法に関するものである。
【課題を解決するための手段】
【０００６】
本発明は、ユーザから個人情報が入力されるように、スクリーン上に、個人化仮想キーボードを提供する方法において、前記個人情報を構成する文字キーを含み、基本仮想キーボードを構成する文字キーの個数以下の個数からなる個人化仮想キーボードが生成されて保存される第１段階と、前記個人情報の入力時、前記個人化仮想キーボードが、前記スクリーンに表示される第２段階と、を含む個人化仮想キーボード提供方法を提供する。
【発明の効果】
【０００７】
本発明によれば、ユーザが、ＩＴ情報機器を利用して、個人情報を入力するとき、その個人情報を入力するための文字キーを含むが、全体個数より少ない個数のキーからなる個人化仮想キーボードを提供するために、画面に表示されるキーを大きく構成することができ、それにより、ユーザをして、個人情報をさらに便利であって正確に入力させるという効果がある。
【０００８】
また、本発明によれば、情報機器が文字キーの選択情報をサーバに伝達し、サーバは、その選択情報から、ユーザが入力した文字列を認識するために、通信網や情報機器にユーザが入力した個人情報の痕跡が残らず、外部に漏れるという危険が解消される効果がある。
【図面の簡単な説明】
【０００９】
【図１】本発明が適用される個人化仮想キーボード提供システムを図示した図面である。
【図２Ａ】本発明による情報機器が、個人化仮想キーボードを設定する過程を図示した動作フローチャートである。
【図２Ｂ】図２Ａの個人化仮想キーボードを設定する過程の多様な例を図示した動作フローチャートである。
【図２Ｃ】図２Ａの個人化仮想キーボードを設定する過程の多様な例を図示した動作フローチャートである。
【図２Ｄ】図２Ａの個人化仮想キーボードを設定する過程の多様な例を図示した動作フローチャートである。
【図２Ｅ】図２Ａの個人化仮想キーボードを設定する過程の多様な例を図示した動作フローチャートである。
【図２Ｆ】図２Ａの個人化仮想キーボードを設定する過程の多様な例を図示した動作フローチャートである。
【図２Ｇ】図２Ａの個人化仮想キーボードを設定する過程の多様な例を図示した動作フローチャートである。
【図２Ｈ】図２Ａの個人化仮想キーボードを設定する過程の多様な例を図示した動作フローチャートである。
【図２Ｉ】図２Ａの個人化仮想キーボードを設定する過程の多様な例を図示した動作フローチャートである。
【図２Ｊ】図２Ａの個人化仮想キーボードを設定する過程の多様な例を図示した動作フローチャートである。
【図２Ｋ】個人情報を構成する文字を列挙した図面である。
【図２Ｌ】情報機器側キーデータの構成を例示した図面である。
【図２Ｍ】サーバ側キーデータの構成を例示した図面である。
【図２Ｎ】図２Ｌの情報機器側キーデータと、図２Ｍのサーバ側キーデータとを排他的論理和（ＸＯＲ：exclusive or）演算した結果を示す図面である。
【図２Ｏ】情報機器側キーデータ及びサーバ側キーデータを排他的論理和演算した結果値が１に該当する文字を示す図面である。
【図３】個人情報入力画面（例えば、ログインウェプページ）の一例を図示した図面である。
【図４】個人情報入力画面に、基本仮想キーボードが表示された一例を図示した図面である。
【図５】本発明による情報機器が、個人化仮想キーボードを表示する過程を図示した動作フローチャートである。
【図６Ａ】本発明によって、ユーザが入力しなければならない個人情報に対応する個人化仮想キーボードを画面に表示した一例を図示する図面である。
【図６Ｂ】本発明によって、ユーザが入力しなければならない個人情報に対応する個人化仮想キーボードを画面に表示した一例を図示する図面である。
【図７】本発明による個人化仮想キーボードを構成する文字キーの配列の一例を図示した図面である。
【図８Ａ】本発明による個人化仮想キーボードを構成する文字キーの配列の一例を図示した図面である。
【図８Ｂ】本発明による個人化仮想キーボードを構成する文字キーの配列の一例を図示した図面である。
【図９Ａ】本発明による個人化仮想キーボードのメニューキーの一例を図示した図面である。
【図９Ｂ】本発明による個人化仮想キーボードのメニューキーの一例を図示した図面である。
【図１０Ａ】ホーム画面設計キー操作画面の一例を図示した図面である。
【図１０Ｂ】ホーム画面設計キー操作画面の一例を図示した図面である。
【図１１】文字消しキー操作画面の一例を図示した図面である。
【図１２Ａ】設定キー操作画面の一例を図示した図面である。
【図１２Ｂ】設定キー操作画面の一例を図示した図面である。
【図１３Ａ】ボタン数設定画面の一例を図示した図面である。
【図１３Ｂ】ボタン数結果画面の一例を図示した図面である。
【図１４】キー選択情報を基に、ユーザ認証する過程の一例を図示した図面である。
【図１５】キー選択情報及び位置変更情報を基に、ユーザ認証する過程の一例を図示した図面である。
【発明を実施するための形態】
【００１０】
以下、添付された図面を参照し、本発明による個人化仮想キーボード提供方法についてさらに詳細に説明する。
【００１１】
本発明の明細書において、「文字」とは、ユーザが入力する個人情報を構成する任意の記号であり、英文字、数字、ハングル文字、特殊文字をいずれも包括する広義の意味で使用する。一般的に、仮想キーボードを構成するキーは、当該キーに対応する文字（英文字、数字、ハングル文字、特殊文字）が一つ含まれ、ユーザは、個人情報に対応する文字キーを順次に選択することによって、個人情報入力ウィンドウに個人情報を入力する。
【００１２】
図１は、本発明が適用される個人化仮想キーボード提供システムを図示した図面である。
【００１３】
本発明が適用される情報機器１は、スクリーン１１と、入力感知部１２と、出力制御部１３と、制御部１４と、保存部１５と、通信部１６と、を具備する。スクリーン１１は、一般的なディスプレイ専用装置（例えば、モニタ）でもあり、画面出力と情報入力とがいずれも可能なタッチスクリーンでもある。入力感知部１２は、ユーザが、スクリーン１１をタッチするか、あるいは図示されていない別途のポインティング機器をクリックまたはタッチして選択すれば、それを認識し、制御部１４に提供する。出力制御部１３は、制御部１４で構成された画面を、スクリーン１１にディスプレイする。制御部１４は、保存部１５または通信部１６から、ユーザの個人化仮想キーボード情報を獲得し、本発明による個人化仮想キーボード画面を構成し、出力制御部１３を介して、スクリーン１１に表示させ、入力感知部１２を介して、ユーザが選択するメニューないしキーを認識し、入力された記号を、保存部１５に保存する。保存部１５は、制御部１４の制御を受け、ユーザが入力した情報（例えば、メニュー入力情報、入力された個人情報文字列情報、文字キー選択情報）を保存し、ユーザの個人化仮想キーボード情報を保存し、本発明による個人化仮想キーボード提供方法を遂行するためのプログラムを保存する。通信部１６は、有線通信網または無線通信網を介して、遠隔地のサーバと通信する。
【００１４】
通信部１６を介して、情報機器１が通信するサーバとして、情報機器１にユーザが要請したウェブサービスを提供するウェブサービス供給サーバ１７、ユーザがウェブサービスを要請するとき、情報機器１から入力される個人情報を基にユーザ認証を行う認証サーバ１８、ユーザが、ユーザ認証のための個人情報を入力するとき、情報機器１をして、ユーザの個人化仮想キーボードを提供させる仮想キーボード個人化サービス提供サーバ１９などが含まれる。このとき、ウェブサービス供給サーバ１７、認証サーバ１８、仮想キーボード個人化サービス提供サーバ１９のうち、任意の２以上のサーバが、物理的に１つのシステムとして具現されもし、それぞれ別個のシステムとして具現されもする。本発明の明細書において、ウェブサービス供給サーバ１７は、応用プログラム（application；アプリ含む）を介して、サービスを提供するサーバを含む。
【００１５】
ユーザは、情報機器１のスクリーン１１に表示された個人化仮想キーボードを利用して、個人情報に該当する文字キーを順次に選択するが、かように選択された情報は、入力感知部１２で認識され、制御部１４に伝達される。制御部１４は、ユーザが、個人化仮想キーボードを介して入力した個人情報文字列情報または文字キー選択情報を、通信部１６を介して、ウェブサービス供給サーバ１７または認証サーバ１８に伝達し、認証要請する。
【００１６】
前記情報機器１は、本発明による個人化仮想キーボード提供方法を遂行するためのプログラムを、仮想キーボード個人化サービス提供サーバ１９からダウンロードされる。情報機器１がウェブサービス供給サーバ１７に接続するとき、仮想キーボード個人化サービス提供サーバ１９を介して、本発明による個人化仮想キーボード提供方法を遂行するためのプログラムの最新バージョンをダウンロードされて実行する。
【００１７】
一方、図面には、ウェブサービス供給サーバ１７と図示されているが、本発明の思想は、それに制限されるものではなく、スマートフォンを介して提供される各種応用プログラム（アプリケーション）も、本発明の思想に含まれるものである。
【００１８】
すなわち、ウェブでは、個人化仮想キーボードをサーバに設置し、情報機器でログインするならば、サーバがログインページ及び個人化仮想キーボードプログラムを、情報機器側に伝送する。なお、応用プログラム（アプリケーション含む）において個人化仮想キーボードは、サービス部品に入っている。例えば、情報機器において、応用プログラム供給サーバ（アプリは、アプリストア）から、個人化仮想キーボードが具備された応用プログラムサービスをダウンロードしてログインしようとすれば、サーバが個人化仮想キーボードを情報機器に伝送するののではなく、個人化仮想キーボードで必要とする情報またはデータのみを情報機器に伝送する。言い換えれば、ウェブは、ログインするたびに、サーバが個人化仮想キーボードを情報機器に伝送する一方、応用プログラム（アプリ含む）は、応用プログラムをサーバから情報機器にダウンロードすれば、その中に、個人化仮想キーボードが含まれている。本発明の個人化仮想キーボード提供方法は、このように、ウェブ上での個人化仮想キーボード提供方法と、応用プログラム上での個人化仮想キーボード提供方法と、をいずれも含む概念であるといえる。
【００１９】
［個人化仮想キーボード生成及び保存］
本発明による個人化仮想キーボード提供方法は、ユーザが入力する個人情報による個人化仮想キーボードを設定する過程と、ユーザが、前記個人情報を入力するとき、前記個人情報による個人化仮想キーボードを画面に表示する過程と、に大別される。
【００２０】
図２Ａは、本発明による情報機器が、個人化仮想キーボードを設定する過程を図示した動作フローチャートである。ユーザがウェブサービス供給サーバに接続し、当該サーバで提供するウェブサービスを利用する場合、一般的に、ウェブサービス供給サーバは、ユーザの個人情報を認証する過程を遂行する。そのために、ウェブサービス供給サーバは、ユーザが使用する情報機器１に、個人情報入力画面を提供し、その情報機器１は、図３に図示されているような個人情報入力画面（例えば、ログインウェプページ、口座番号入力ウェプページまたは各種パスワード入力ウェプページなど）をスクリーン画面に表示する（Ｓ２１）。
【００２１】
ユーザが個人情報入力画面の個人情報入力ウィンドウを選択（タッチまたはクリック）し、入力準備が感知されれば（Ｓ２２）、情報機器１は、基本仮想キーボード４１を画面に表示する（Ｓ２３）。ここで、基本仮想キーボードとは、一般的なクウォティー（ＱＷＥＲＴＹ）文字盤を意味するが、それに限定されるものではなく、個人情報に属するいかなる文字も入力することができるいかなる配列の仮想キーボードでもよい。
【００２２】
ユーザは、画面に表示された基本仮想キーボードを利用して、個人情報を入力するが、個人情報入力完了が感知されれば（Ｓ２４）、制御部は、入力された個人情報を基に、個人化仮想キーボードを生成する（Ｓ２５）。その後、情報機器１は、入力された個人情報を認証する（Ｓ２６）。ここで、入力された個人情報を認証する方法として、情報機器１が認証サーバに入力された個人情報の認証いかんをクエリーし、その結果を入力されるか、あるいは自主的に保存されたユーザの個人情報を基に、自主的に認証することもできる。ユーザが入力した個人情報に対する認証が成功すれば（Ｓ２７）、制御部１４は、生成された個人化仮想キーボードを保存する（Ｓ２８）。
【００２３】
ここで、制御部１４は、個人化仮想キーボードを保存部１５に保存することもでき、認証サーバ１８または仮想キーボード個人化サービス提供サーバ１９に保存することもでき、保存部１５と、認証サーバ１８または仮想キーボード個人化サービス提供サーバ１９とに分けて保存することもできる。個人化仮想キーボードは、個人情報を入力するのに必要な文字キーを含み、前記基本仮想キーボードのキー個数より少ない個数のキーからなる。個人情報を基に、個人化仮想キーボードを生成する詳細な過程については後述する。個人化仮想キーボードは、暗号技術で暗号化された後、保存部１５に保存されるか、あるいは認証サーバ１８または仮想キーボード個人化サービス提供サーバ１９で暗号化され、情報機器１に伝送される。
【００２４】
同一の個人情報入力画面に、２個以上の個人情報入力ウィンドウが存在する場合、各個人情報ごとに、別途の個人化仮想キーボードを生成して保存する。例えば、図３のようなログインウェプページの場合、ＩＤ入力ウィンドウが選択されてＩＤが入力されれば、入力されたＩＤによる個人化仮想キーボードを生成し、パスワード入力ウィンドウが選択されてパスワードが入力されれば、入力されたパスワードによる個人化仮想キーボードを生成する。
【００２５】
また、個人情報入力画面ごとに、最新入力された個人化仮想キーボードを保存することもでき、別途のユーザ識別情報を入力され、ユーザ識別情報別に、別途の個人化仮想キーボードを保存することもできる。例えば、図３のログインウェプページの場合、ＩＤ入力ウィンドウを選択し、基本仮想キーボードを介してユーザ識別情報を入力し、その後、パスワード入力ウィンドウが選択されれば、パスワードによる個人化仮想キーボードを生成して出力することもできる。他の例として、ユーザＩＤを基に一次認証を完了し、ユーザ識別情報を獲得し、二次認証時（ゲームアイテム取り引き、口座振込みのための口座番号及びパスワードの入力時）に、当該ユーザが入力しなければならない個人情報による個人化仮想キーボードを保存して表示することもできる。
【００２６】
以下では、生成された個人化仮想キーボードが保存される位置による多様な場合の数について、さらに詳細に説明する。
【００２７】
まず、通信環境ではなく、情報機器１が単独で実行される場合、生成された個人化仮想キーボードが、情報機器１の保存部１５にだけ保存される場合について説明する。図２Ｂは、図２Ａの個人化仮想キーボードを設定する過程の一例を図示した動作フローチャートである。
【００２８】
この場合、図２Ａの個人情報入力段階（Ｓ２４）は、図２Ｂの個人情報（パスワード）設定段階（Ｓ２４−ａ）に該当する。次に、図２Ａの個人化仮想キーボードを生成する段階（Ｓ２５）は、図２Ｂの個人化仮想キーボードを生成する段階（Ｓ２５−ａ）に該当する。次に、図２Ａの入力された個人情報を認証する段階（Ｓ２６）は、図２Ｂの設定した個人情報（パスワード）を確認入力する段階（Ｓ２６−ａ）に該当する。次に、ユーザが入力した個人情報に対する認証が成功（Ｓ２７−ａ）すれば、生成された個人化仮想キーボードを保存（Ｓ２８−ａ）する。その場合、段階Ｓ２７−ａにおいて、正常なユーザである場合は、以前入力したパスワードと、今回入力したパスワードとが同一である場合でもある。
【００２９】
例えば、スマートフォン（情報機器）をオンにしたとき、パスワード認証を介して、ロッキングを解除する場合、ユーザが個人情報（パスワード）設定を選択すれば、制御部１４は、個人化仮想キーボードを生成する。そして、スクリーン１１上の入力ウィンドウに個人情報（パスワード）を確認入力され、以前入力したパスワードと、今回入力したパスワードとが同一である場合にのみ、制御部１４は、生成された個人化仮想キーボードを保存する。
【００３０】
次に、通信環境下で、生成された個人化仮想キーボードが、情報機器１の保存部１５にだけ保存される場合について説明する。図２Ｃ及び図２Ｄは、図２Ａの個人化仮想キーボードを設定する過程において、生成された個人化仮想キーボードが情報機器１にだけ保存される場合の一例を図示した動作フローチャートである。
【００３１】
まず、図２Ｃを参照すれば、ユーザは、画面に表示された基本仮想キーボードを利用して、個人情報を入力するが、個人情報入力完了が感知されれば（Ｓ２４）、情報機器１は、入力された個人情報を基に、個人化仮想キーボードを生成する（Ｓ２５−ｂ）。その後、情報機器１は、入力された個人情報を、認証サーバ１８または仮想キーボード個人化サービス提供サーバ１９に伝送し、認証サーバ１８または仮想キーボード個人化サービス提供サーバ１９は、伝送された個人情報を認証した後（Ｓ２６−ｂ）、情報機器１に認証結果を伝送する。情報機器１の制御部１４は、認証成功時、個人情報によって生成された個人化仮想キーボードを保存部に保存する（Ｓ２８−ｂ）。
【００３２】
次に、図２Ｄを参照すれば、ユーザは、画面に表示された基本仮想キーボードを利用して、個人情報を入力するが、個人情報入力完了が感知されれば（Ｓ２４）、情報機器１は、入力された個人情報を、認証サーバ１８または仮想キーボード個人化サービス提供サーバ１９に伝送し、認証サーバ１８または仮想キーボード個人化サービス提供サーバ１９は、伝送された個人情報を認証した後（Ｓ２６−ｃ）、認証成功時に入力された個人情報を基に、個人化仮想キーボードを生成する（Ｓ２５−ｃ）。その後、認証サーバ１８または仮想キーボード個人化サービス提供サーバ１９は、認証結果と、生成された個人化仮想キーボードとを情報機器１に伝送し、情報機器１の制御部１４は、受信された個人化仮想キーボードを保存部に保存する（Ｓ２８−ｃ）。
【００３３】
次に、通信環境下で、生成された個人化仮想キーボードが、認証サーバ１８または仮想キーボード個人化サービス提供サーバ１９にだけ保存される場合について説明する。図２Ｅ及び図２Ｆは、図２Ａの個人化仮想キーボードを設定する過程において、生成された個人化仮想キーボードがサーバにだけ保存される場合の一例を図示した動作フローチャートである。
【００３４】
まず、図２Ｅを参照すれば、ユーザは、画面に表示された基本仮想キーボードを利用して、個人情報を入力するが、個人情報入力完了が感知されれば（Ｓ２４）、情報機器１は、入力された個人情報を、認証サーバ１８または仮想キーボード個人化サービス提供サーバ１９に伝送し、認証サーバ１８または仮想キーボード個人化サービス提供サーバ１９は、伝送された個人情報を認証した後（Ｓ２６−ｄ）、情報機器１に認証結果を伝送する。認証成功時、認証サーバ１８または仮想キーボード個人化サービス提供サーバ１９は、入力された個人情報を基に、個人化仮想キーボードを生成し（Ｓ２５−ｄ）、それを保存する（Ｓ２８−ｄ）。
【００３５】
次に、図２Ｆを参照すれば、ユーザは、画面に表示された基本仮想キーボードを利用して、個人情報を入力するが、個人情報入力完了が感知されれば（Ｓ２４）、情報機器１は、入力された個人情報を基に、個人化仮想キーボードを生成し（Ｓ２５−ｅ）、入力された個人情報、及び生成された個人化仮想キーボードを、認証サーバ１８または仮想キーボード個人化サービス提供サーバ１９に伝送する。認証サーバ１８または仮想キーボード個人化サービス提供サーバ１９は、伝送された個人情報を認証した後（Ｓ２６−ｅ）、情報機器１に認証結果を伝送する。認証成功時、認証サーバ１８または仮想キーボード個人化サービス提供サーバ１９は、受信した個人化仮想キーボードを保存する（Ｓ２８−ｅ）。
次に、通信環境下で、個人化仮想キーボードを生成するための情報が、情報機器１、及び認証サーバ１８または仮想キーボード個人化サービス提供サーバ１９のいずれにも保存される場合について説明する。図２Ｇないし図２Ｊは、図２Ａの個人化仮想キーボードを設定する過程において、個人化仮想キーボードを生成するための情報が、情報機器１及びサーバの双方にいずれも保存される場合の一例を図示した動作フローチャートである。
【００３６】
その場合、前述の実施形態と異なる特徴的な部分は、情報機器１またはサーバのいずれの側に個人化仮想キーボードを直接保存するのではなく、情報機器１及びサーバの双方に、個人化仮想キーボードを生成するためのキーデータをそれぞれ保存しておき、必要時に、情報機器１及びサーバの双方に保存されたキーデータを結合し、個人化仮想キーボードを生成するというのである。これについて、さらに詳細に説明すれば、次の通りである。
【００３７】
まず、図２Ｇを参照すれば、ユーザは、画面に表示された基本仮想キーボードを利用して、個人情報を入力するが、個人情報入力完了が感知されれば（Ｓ２４）、情報機器１では、情報機器側キーデータ及びサーバ側キーデータが生成される（Ｓ２５−ｆ）。次に、情報機器１は、入力された個人情報、及び生成されたサーバ側キーデータを、認証サーバ１８または仮想キーボード個人化サービス提供サーバ１９に伝送する。それにより、認証サーバ１８または仮想キーボード個人化サービス提供サーバ１９は、伝送された個人情報を認証する（Ｓ２６−ｆ）。認証の結果、認証に成功すれば、認証サーバ１８または仮想キーボード個人化サービス提供サーバ１９は、受信したサーバ側キーデータを保存（Ｓ２７−ｆ）した後、情報機器１に認証結果を伝送する。そして、認証成功時、情報機器１は、生成された情報機器側キーデータを保存する（Ｓ２８−ｆ）。
【００３８】
次に図２Ｈを参照すれば、ユーザは、画面に表示された基本仮想キーボードを利用して、個人情報を入力するが、個人情報入力完了が感知されれば（Ｓ２４）、情報機器１では、入力された個人情報を、認証サーバ１８または仮想キーボード個人化サービス提供サーバ１９に伝送する。それにより、認証サーバ１８または仮想キーボード個人化サービス提供サーバ１９は、伝送された個人情報を認証し（Ｓ２５−ｇ）、情報機器側キーデータ及びサーバ側キーデータを生成する（Ｓ２６−ｇ）。前記認証の結果、認証に成功すれば、認証サーバ１８または仮想キーボード個人化サービス提供サーバ１９は、生成されたサーバ側キーデータを保存（Ｓ２７−ｇ）した後、情報機器１に、認証結果と、生成された情報機器側キーデータとを伝送する。そして、認証成功時、情報機器１は、伝送された情報機器側キーデータを保存する（Ｓ２８−ｇ）。
【００３９】
次に、図２Ｉを参照すれば、ユーザは、画面に表示された基本仮想キーボードを利用して、個人情報を入力するが、個人情報入力完了が感知されれば（Ｓ２４）、情報機器１は、入力された個人情報を基に、個人化仮想キーボードを生成し（Ｓ２５−ｈ）、入力された個人情報を、認証サーバ１８または仮想キーボード個人化サービス提供サーバ１９に伝送する。それにより、認証サーバ１８または仮想キーボード個人化サービス提供サーバ１９は、伝送された個人情報を認証し（Ｓ２６−ｈ）、認証に成功すれば、サーバ側キーデータを生成して保存する（Ｓ２７−ｈ）。次に、認証サーバ１８または仮想キーボード個人化サービス提供サーバ１９は、情報機器１に、認証結果と、生成されたサーバ側キーデータとを伝送する。そして、認証成功時、情報機器１は、生成されている個人化仮想キーボードと、受信したサーバ側キーデータとを利用して、情報機器側キーデータを生成して保存する（Ｓ２８−ｈ）。最後に、情報機器１は、既生成の個人化仮想キーボードを削除する（Ｓ２９−ｈ）。
【００４０】
最後に、図２Ｊを参照すれば、ユーザは、画面に表示された基本仮想キーボードを利用して、個人情報を入力するが、個人情報入力完了が感知されれば（Ｓ２４）、情報機器では、情報機器側キーデータが生成される（Ｓ２５−ｉ）。次に、情報機器１は、入力された個人情報、及び生成された情報機器側キーデータを、認証サーバ１８または仮想キーボード個人化サービス提供サーバ１９に伝送する。それにより、認証サーバ１８または仮想キーボード個人化サービス提供サーバ１９は、伝送された個人情報を認証する（Ｓ２６−ｉ）。認証成功時、認証サーバ１８または仮想キーボード個人化サービス提供サーバ１９は、受信した情報機器側キーデータを利用して、サーバ側キーデータを生成して保存する（Ｓ２７−ｉ）。次に、認証サーバ１８または仮想キーボード個人化サービス提供サーバ１９は、情報機器１に認証結果を伝送する。そして、認証成功時、情報機器１は、生成されている情報機器側キーデータを保存する（Ｓ２８−ｉ）。
【００４１】
以下では、図２Ｇないし図２Ｊで記述したように、個人化仮想キーボードを生成するための情報が、情報機器及びサーバの双方いずれにも保存される場合、情報機器側キーデータ及びサーバ側キーデータを利用して、個人化仮想キーボードを生成する方法について説明する。
【００４２】
図２Ｋは、個人情報を構成する文字を列挙したものである。図２Ｋでは、個人情報を構成する文字が全９５個であると例示されている。詳細には、数字１０個、アルファベットの大文字及び小文字の５２個、特殊文字３２個並びにスペース（space）を合わせ、前９５個の文字が基本仮想キーボードを構成している。ここで、基本仮想キーボードが、前記９５個の文字をいずれも含むものではないこともあり、ここで、９５個の文字は、個人情報を構成することができるキーの集合とし、該集合を、部分集合に分割して示したものが基本仮想キーボードであり、基本仮想キーボードは、他の基本仮想キーボードに移動することができるキーを置くものであるとすることもできる。例えば、基本仮想キーボードが数字からなる場合には、個人情報に属するキーの集合が数字であり、該集合は、分割せずとも、１つの仮想キーボードにいずれも示すことができるので、数字がいずれも表示されたものが基本仮想キーボードにもなる。
【００４３】
図２Ｌは、情報機器側キーデータの構成を例示しており、図２Ｍは、サーバ側キーデータの構成を例示している。図２Ｌ及び図２Ｍに図示されているように、情報機器側キーデータ及びサーバ側キーデータは、それぞれ９５ビットのビットストリングからなる。それは、基本仮想キーボードを構成する文字の総個数と同一である。
【００４４】
図２Ｎは、図２Ｌの情報機器側キーデータと、図２Ｍのサーバ側キーデータとを排他的論理和（ＸＯＲ：exclusive or）演算した結果を示し、図２Ｏは、情報機器側キーデータ及びサーバ側キーデータを排他的論理和演算した結果値が、１に該当する文字を示している。すなわち、情報機器側キーデータ及びサーバ側キーデータを排他的論理和演算した結果値が１である文字を個人化仮想キーボードとして生成し、個人情報入力画面に、個人化仮想キーボードとして表示する。
【００４５】
一方、サーバ側キーデータは、限定された数（いわば、１０，０００個）であり、情報機器側キーデータは、情報機器ごとにも異なる。その場合、サーバ側キーデータを利用して、情報機器側キーデータを生成する場合にのみ該当する。このとき、いかなる情報機器において、いかなるサーバ側キーデータを使用するかということは、サーバ管理者が決定することができる。
【００４６】
あるいは、個人化仮想キーボードを生成するための情報が、情報機器及びサーバの双方いずれにも保存される場合において、サーバ側キーデータは、一つであり、情報機器側キーデータは、個人情報によって異なるか、あるいはサーバ側キーデータ数が、個人情報数（ＩＤ及びパスワードであるならば、個人情報数は２個）ほどであり、サーバ側キーデータに対応する情報機器側キーデータがありもする。
【００４７】
［個人化仮想キーボード表示］
図２Ａの過程を介して、個人情報による個人化仮想キーボードを設定した後には、個人情報入力画面に、個人化仮想キーボードが表示される。
【００４８】
図５は、本発明による情報機器が、個人化仮想キーボードを表示する過程を図示した動作フローチャートである。
ユーザがウェブサービス供給サーバに接続すれば、情報機器は、ウェブサービス供給サーバから、図３に図示されているような個人情報入力画面を受信し、スクリーン画面に表示する（Ｓ５１）。
【００４９】
ユーザが、個人情報入力画面の個人情報入力ウィンドウを選択（タッチまたはクリック）し、入力準備が感知されれば（Ｓ５２）、情報機器は、図６Ａ及び図６Ｂに図示されているように、ユーザが入力しなければならない個人情報による個人化仮想キーボードを読み取って画面に表示する（Ｓ５３）。図６Ａは、入力しなければならない個人情報がＩＤ（例えば、「ｓｂｍａｕｍ」）である場合、それによる個人化仮想キーボードを表示した例示画面であり、図６Ｂは、入力しなければならない個人情報がパスワード（例えば、「ｈｏｈｏｈｏ」）である場合、それによる個人化仮想キーボードを表示した例示画面である。図６Ａ及び図６Ｂは、入力しなければならない個人情報のうち、重複する文字がいずれも表示されるように図示されているが、本発明は、それに限定されるものではなく、重複する文字は１回だけ表示されるようにすることもできる。そのとき、個人化仮想キーボード上には、文字が表示されない空ボタンが存在することができる。
【００５０】
ユーザは、個人化仮想キーボードを利用して、入力しなければならない個人情報を入力する。個人情報入力完了が感知されれば（Ｓ５４）、入力された個人情報を認証する（Ｓ５５）。ここで、入力された個人情報を認証する方法として、情報機器が、認証サーバに入力された個人情報の認証いかんをクエリーし、その結果を入力されるか、あるいは自主的に保存されたユーザの個人情報を基に、自主的に認証することもできる。
【００５１】
［個人化仮想キーボードメニュー及び編集］
図２Ａの段階Ｓ２７において、情報機器が生成する個人化仮想キーボードは、図６Ａ及び図６Ｂに図示されているように、個人情報を構成する文字キーからなり、その全ての文字キーが、特定パターン（例えば、図７に図示されているような、横たわった「己」字形のようなパターン、図８Ａに図示されているような一列パターン、図８Ｂに図示されているような二次元マトリックススパターンなど）に配列される。文字キーが配列されるパターンは、変更可能である。図８Ｂのような二次元マトリックススパターン配列時、特定行または特定列に、同一種類の文字（例えば、数字、アルファベット、特殊文字）を配置することもできる。
【００５２】
前記個人化仮想キーボードは、図９Ａ及び図９Ｂに図示されているように、多数の文字キー９１と、メニュー移動キー９２と、多数のメニューキーとを含んでなり、前記多数のメニューキーには、単一文字削除キー９３、全体文字削除キー９４、ホーム画面設計キー９５、文字消しキー９６及び設定キー９７が含まれる。
【００５３】
メニュー移動キー９２は、隠されたメニューキーが見えるように、メニューキーを左右に移動させるために操作するキーである。単一文字削除キー９３は、入力された文字を一つずつ削除するために操作するメニューキーである。全体文字削除キー９４は、入力された文字を一度に削除するために操作するメニューキーである。
【００５４】
ホーム画面設計キー９５は、ユーザが、個人化仮想キーボードを構成する文字キーの配列を変更するために操作するメニューキーである。ホーム画面設計キー９５が操作されれば、図１０Ａに図示されているように、個人化仮想キーボードを構成する文字キーが位置移動可能状態になり、ユーザが希望する文字キーの位置を移動させて保存すれば、図１０Ｂに図示されているように、当該文字キーの位置が変更されて保存され、個人情報を入力するとき、位置が変更された個人化仮想キーボードが示される。図１０Ｂは、文字キー「ｍ」を下方へ位置移動させた例示画面である。ここで、文字キーの位置を移動させる方法は、当該文字キーを選択し、ドラッグ・アンド・ドロップ方式で移動させることもでき、まず、移動させる文字キーを選択し、次に、移動させる位置を選択する方式によって移動させることもできる。
【００５５】
文字消しキー９６は、ユーザが、個人化仮想キーボードを構成する文字キーに表示される文字を消すために操作するメニューキーである。文字消しキー９６が操作されれば、図１１に図示されているように、個人化仮想キーボードを構成する文字キーに表示される文字が消されて見えなくなる。文字が見えなくなった場合、文字消しキー９６は、文字見せキー１１１に変更される。文字が消されても、各文字キーに対応する文字に係わる情報は維持され、ユーザが入力するキーに対応する文字が入力される。
【００５６】
設定キー９７は、ユーザが、個人化仮想キーボードの設定を変更するために操作するメニューキーである。設定キー９７が操作されれば、図１２Ａ及び図１２Ｂに図示されているように、「文字数選択項目」、「基本仮想キーボード選択項目」、「ボタン移動可能いかん選択項目」などを設定する。ここで、ボタン数とは、文字キーの個数を意味する。
【００５７】
文字数選択項目は、「個人情報文字の個数」以外に、いくつの文字をさらに示すかということを設定することができる環境を提供する。例えば、例示のＩＤである「ｓｂｍａｕｍ」は、文字数が６であるため、図１２Ａに図示されているように、６ないし１０のうち一つを選択するか、あるいは図１２Ｂに図示されているように、「文字数、＋１、＋２、＋３、＋４」のうち一つを選択するように環境を提供する。ユーザが６を選択すれば、図６Ａまたは図９Ａのように、個人情報を構成する文字キーだけからなる個人化仮想キーボードが維持される。しかし、それ以外の他の数を選択すれば、例えば、図１３Ａに図示されているように、「８」または「＋２」を選択すれば、図１３Ｂに図示されているように、任意の２つの文字キー（例えば、文字キーｃ及び文字キー５）が追加して表示される。しかし、個人化仮想キーボードを構成する文字キーの個数が臨界値（例えば、１８個）を超えれば、基本仮想キーボードを選択して表示する。
【００５８】
一方、このとき、文字キーの個数は、サーバで設定されもする。このとき、文字数をサーバで設定すれば、全ての情報機器には、サーバで設定した数ほどの文字が示される。例えば、サーバにおいて、個人情報にある文字だけ示すか、個人情報にある文字がいずれも示されながら、最小８個が示されるか、あるいは個人情報にある文字以外に、２個がさらに示されるというように設定することもできる。
【００５９】
「基本仮想キーボード選択項目」は、個人化仮想キーボード使用（図１２Ａの「押す文字だけ可視化」、または図１２Ｂの「マジックキーボード使用」）、基本仮想キーボード臨時使用（図１２Ａの「今だけ０〜９，ａ〜ｚ可視化」、または図１２Ｂの「基本キーボード使用」）、基本仮想キーボード続けて使用（図１２Ａの「いつも０〜９，ａ〜ｚ可視化」、または図１２Ｂの「基本キーボード使用」）のうち一つを選択することができる環境を提供する。
【００６０】
基本仮想キーボード臨時使用は、ユーザが個人情報（ＩＤやパスワード）設定を変更するか、あるいは他人が当該情報機器を使用するときに選択するようにし、ユーザが基本仮想キーボード臨時使用を選択すれば、図４に図示されているような基本仮想キーボードが画面に表示される。
【００６１】
基本仮想キーボード続けて使用は、ユーザが個人化仮想キーボードを使用しないときに選択するものであり、そのとき、個人情報入力画面において、個人化仮想キーボード使用選択環境を提供することができる。
【００６２】
基本仮想キーボードを使用する場合について、さらに詳細に説明すれば、次の通りである。まず、本発明の個人化仮想キーボードが生成される前には、ユーザは、基本仮想キーボードを介して、個人情報を入力しなければならない。また、他人が自分の情報機器を使用する場合、他人の個人情報を入力することができるように、基本仮想キーボードが提供されなければならない。また、個人情報を変更する場合にも、基本仮想キーボードにおいて、新たな個人情報を入力しなければならない。かような場合、ユーザが基本仮想キーボード臨時使用を選択すれば、図４に図示されているような基本仮想キーボードが画面に表示される。そして、ユーザが新たな個人情報を入力すれば、新たに入力された個人情報に該当する個人化仮想キーボードが新たに生成されて保存される。
【００６３】
情報機器は、ユーザをして、個人化仮想キーボード使用と、基本仮想キーボード使用とを選択させることにより、ユーザは、自由に個人化仮想キーボードと、基本仮想キーボードとを選択して使用する。
【００６４】
［個人化仮想キーボードを利用した個人情報入力］
ユーザが、個人化仮想キーボードを利用して、個人情報を入力する場合、ユーザが、個人情報入力画面の任意の個人情報入力ウィンドウを選択すれば、図６Ａ、図６Ｂ、図８Ａ、図８Ｂ、図１０Ｂ、図１１または図１３Ｂに図示されているような当該個人情報に対応して個人化仮想キーボードが表示される。ユーザは、個人化仮想キーボードを利用して、自分が入力する個人情報に該当する文字キー（文字の表示いかんと係わりなし）を順次に選択することによって、個人情報入力ウィンドウに、ユーザが入力した文字が入力される。ここで、ユーザが文字キーを選択する方法には、当該文字キーを順次にドラッグする方法、当該文字キーを順次にタッチする方法、当該文字キーにマウスカーソルを位置させてクリックする方法などが含まれる。
【００６５】
ユーザが入力した文字列は、通常の暗号化方法で暗号化された後、ウェブサービス供給サーバ１７または認証サーバ１８に伝達され、ウェブサービス供給サーバ１７または認証サーバ１８は、入力された文字列の通常の復号化方法で復号化した後、当該文字列に対する認証を遂行する。
【００６６】
または、ユーザが入力した文字キー位置が、ウェブサービス供給サーバ１７または認証サーバ１８に伝達され、ウェブサービス供給サーバ１７または認証サーバ１８が、前記入力された文字キー位置情報を基に、当該位置に対応する文字を認識し、ユーザが入力した個人情報を獲得することもできる。
【００６７】
例えば、図１４に図示されているように、情報機器では、文字キーの文字が見えないようにし、ユーザが個人化仮想キーボードを利用して、個人情報に該当するホーム画面をドラッグするか、あるいはキーを選択すれば、そのドラッグしたホーム画面情報、または選択キー位置情報がサーバに伝達され、サーバが、当該ドラッグホーム画面情報または選択キー位置情報から選択された文字列を認識する。そのために、情報機器及びサーバがユーザの個人化仮想キーボードを共有しなければならないということは自明である。このように具現する場合、ユーザの個人情報が、情報機器内及び通信網に全く痕跡を残さないために、保安がさらに強化されるという効果がある。
【００６８】
［個人化仮想キーボード配列変更］
図１４のように、文字キーの文字が見えない個人化仮想キーボードの場合、図１５に図示されているように、通常のホーム画面設計のような方法で、文字キーの位置変更が可能になるように構成される。
【００６９】
このとき、情報機器は、位置変更情報と、ユーザのキー選択情報とを共にサーバに伝達し、サーバは、文字キー位置変更情報（または、個人化仮想キーボード配列情報）と、ドラッグホーム画面情報（または選択キー位置情報）とから、ユーザが入力した文字を認識する。
【００７０】
個人化仮想キーボードの各文字キーは、常に同一位置に表示されもし、あるいはユーザが以前の認証時に変更した配列にも表示される。
【００７１】
ユーザが個人化仮想キーボードを利用して、個人情報を入力する前に、情報機器は、ユーザに、個人化仮想キーボードの文字キー位置変更を要請することができ、ユーザが任意の文字キーの位置を変更すれば、その位置変更情報と、ユーザが選択したキーの位置情報とを共にサーバに伝達することができる。
【００７２】
以上、本発明に係わる技術思想について、添付図面と共に説明したが、それは、本発明の最も望ましい実施形態について例示的に説明したものであり、本発明を限定するものではない。また、当該技術分野の当業者であるならば、だれでも本発明の技術思想の範疇を離脱しない範囲内で、多様な変形及び模倣が可能であるということは、明白な事実である。
【産業上の利用可能性】
【００７３】
本発明は、個人携帯端末情報機器を介して、ユーザの個人情報を入力するにあたり、ユーザが入力する個人情報による個人化仮想キーボードを生成して提供する方法に利用される。
【図１】
2015513159.tif 000003
【図２Ａ】
2015513159.tif 000004
【図２Ｂ】
2015513159.tif 000005
【図２Ｃ】
2015513159.tif 000006
【図２Ｄ】
2015513159.tif 000007
【図２Ｅ】
2015513159.tif 000008
【図２Ｆ】
2015513159.tif 000009
【図２Ｇ】
2015513159.tif 000010
【図２Ｈ】
2015513159.tif 000011
【図２Ｉ】
2015513159.tif 000012
【図２Ｊ】
2015513159.tif 000013
【図２Ｋ】
2015513159.tif 000014
【図２Ｌ】
2015513159.tif 000015
【図２Ｍ】
2015513159.tif 000016
【図２Ｎ】
2015513159.tif 000017
【図２Ｏ】
2015513159.tif 000018
【図３】
2015513159.tif 000019
【図４】
2015513159.tif 000020
【図５】
2015513159.tif 000021
【図６Ａ】
2015513159.tif 000022
【図６Ｂ】
2015513159.tif 000023
【図７】
2015513159.tif 000024
【図８Ａ】
2015513159.tif 000025
【図８Ｂ】
2015513159.tif 000026
【図９Ａ】
2015513159.tif 000027
【図９Ｂ】
2015513159.tif 000028
【図１０Ａ】
2015513159.tif 000029
【図１０Ｂ】
2015513159.tif 000030
【図１１】
2015513159.tif 000031
【図１２Ａ】
2015513159.tif 000032
【図１２Ｂ】
2015513159.tif 000033
【図１３Ａ】
2015513159.tif 000034
【図１３Ｂ】
2015513159.tif 000035
【図１４】
2015513159.tif 000036
【図１５】
2015513159.tif 000037
【国際調査報告】
2015513159.tif 000038
2015513159.tif 000039
2015513159.tif 000040
2015513159.tif 000041